(57)【要約】【課題】異なる二つの画像のうち一方の画像データを付加画像データとし、画像データの他方をメイン画像データとして、メイン画像データの画像ファイルに付加画像データを追加して一つの画像ファイルとして管理することが可能な撮像装置を提供する。【解決手段】本発明に係る撮像装置１は、撮影モードとして異なる二つの撮影画像の一方を付加画像データとする付加画像撮影モードと異なる撮影画像の他方をメイン画像データとするメイン画像撮影モードとを有し、メイン画像撮影モードでは、メイン画像データの画像ファイルに前記付加画像データを追加して記録媒体１９に記録する。【選択図】  図６
2019047504.tif 000002
【特許請求の範囲】
【請求項１】
撮影画像の一方を付加画像データとする付加画像撮影モードと、
撮影画像の他方をメイン画像データとするメイン画像撮影モードと、
モードを切り替える切り替え手段と、
前記付加画像データの有無を判断する判断手段と、を有し、
前記判断手段の結果に応じて、前記メイン画像データの画像ファイルに前記付加画像データを追加して記録媒体に記録することを特徴とする撮像装置。
【請求項２】
前記付加画像撮影モードでは、前記付加画像データをマクロ撮影するマクロ撮影モードに設定されることを特徴とする請求項１に記載の撮像装置。
【請求項３】
前記付加画像撮影モードで撮影した画像を前記付加画像データとし、
前記メイン画像撮影モードで撮影した画像を前記メイン画像データとし、
前記記録媒体へ記録する際に、前記メイン画像データの画像ファイルに前記付加画像データを追加して記録することを特徴とする請求項１又は請求項２に記載の撮像装置。
【請求項４】
前記付加画像データがある場合には、該付加画像データの存在を示すアイコンを表示画面に表示させ、
前記アイコンが表示されているときに、前記切り替え手段を操作すると前記付加画像データを前記表示画面に表示させることを特徴とする請求項１乃至請求項３のいずれか一項に記載の撮像装置。
【請求項５】
前記判断手段は、前記付加画像データが表示画面に表示されているときには、前記切り替え手段の操作により、前記表示画面に前記付加画像データが表示されている状態から前記付加画像撮影モードに移行することを特徴とする請求項１乃至請求項４のいずれか一項に記載の撮像装置。
【請求項６】
前記判断手段は、前記付加画像データがないと判断すると、前記切り替え手段の操作により前記メイン画像撮影モードから前記付加画像撮影モードに移行させることを特徴とする請求項１乃至請求項５のいずれか一項に記載の撮像装置。
【請求項７】
１つの前記メイン画像データに対して一乃至複数の前記付加画像データが関連付けられていることを特徴とする請求項１乃至請求項６のいずれか一項に記載の撮像装置。
【請求項８】
前記付加画像データと前記メイン画像データとを順次再生する順次再生手段を有することを特徴とする請求項１乃至請求項７のいずれか一項に記載の撮像装置。
【請求項９】
装置を制御するプログラムであって、
撮影画像の一方を付加画像データとする付加画像撮影モードと、
撮影画像の他方をメイン画像データとするメイン画像撮影モードと、
モードの切り替えを受け付ける切り替え部と、
前記付加画像データの有無を判断する判断部と、を有し、
前記判断部の結果に応じて、前記メイン画像データの画像ファイルに前記付加画像データを追加して記録媒体に記録することを特徴とする装置の制御プログラム。
【請求項１０】
請求項１乃至８のいずれか一項に記載の撮像装置で行われる撮像方法であって、
撮影画像の一方を付加画像データとする付加画像撮影モードと、
撮影画像の他方をメイン画像データとするメイン画像撮影モードと、
モードを切り替える切り替え工程と、
前記付加画像データの有無を判断する判断工程と、を有し、
前記判断工程の結果に応じて、前記メイン画像データの画像ファイルに前記付加画像データを追加して記録媒体に記録することを特徴とする撮像方法。
【発明の詳細な説明】
【技術分野】
【０００１】
本発明は、撮影画像データ同士を関連付けて管理することのできる撮像装置、装置の制御プログラム及び撮像方法に関する。
【背景技術】
【０００２】
従来から、２枚の画像、例えば、別々の画像ファイルに記録された異なるメイン画像とサブ画像とを関連付けて記録し、画像を表示する際にはメイン画像とサブ画像とを関連付けて表示する装置、一方の画像が更新されたときにはその旨を把握することができるようにして、画像ファイルを管理する技術が知られている（例えば、特許文献１参照。）。
【発明の概要】
【発明が解決しようとする課題】
【０００３】
しかしながら、異なる二つの画像データを別々の画像ファイルに分けて、互いに関連付けて管理するのは不便である。
本発明は、上記の事情に鑑みて為されたもので、異なる二つの画像のうち一方の画像データを付加画像データとし、異なる二つの画像データの他方をメイン画像データとして、メイン画像データの画像ファイルに付加画像データを追加して一つの画像ファイルとして管理することが可能な撮像装置を提供することを目的とする。
【課題を解決するための手段】
【０００４】
本発明に係る撮像装置は、撮影画像の一方を付加画像データとする付加画像撮影モードと、撮影画像の他方をメイン画像データとするメイン画像撮影モードと、モードを切り替える切り替え手段と、前記付加画像データの有無を判断する判断手段と、を有し、前記判断手段の結果に応じて、前記メイン画像データの画像ファイルに前記付加画像データを追加して記録媒体に記録することを特徴とする。
【発明の効果】
【０００５】
本発明によれば、異なる撮影画像の一方を付加画像データとし、異なる撮影画像の他方をメイン画像データとして、メイン画像データの画像ファイルに付加画像データを追加して一つの画像ファイルとして記録媒体に記録する構成であるので、付加画像をメイン画像に確実に関連付けることができ、メイン画像データを再生するときに、付加画像も再生できて便利である。
【図面の簡単な説明】
【０００６】
【図１】本発明の撮像装置の実施例に係るデジタルスチルカメラの外観図であって、背面構成の説明図である。
【図２】図１に示すデジタルスチルカメラの概要を説明するためのブロック回路図である。
【図３】図２に示す画像処理部の要部構成を示すブロック回路図である。
【図４】図１に示すデジタルスチルカメラのモニタ画面の表示状態の一例を示す説明図であって、（Ａ）はメイン画像撮影モードにおいてメイン画像として乗用車がスルー画像としてモニタリング表示されている状態を示す説明図であり、（Ｂ）は付加画像撮影モードにおいて付加画像としてのナンバープレートがモニタリング表示されている状態を示す説明図であり、（Ｃ）はメイン画像撮影モードにおいてメイン画像としての乗用車をスルー画像としてモニタリング表示しているモニタ画面に撮影済みの付加画像の存在を意味するアイコンが同時に表示されている状態を示す説明図であり、（Ｄ）は撮影モードにおいて付加画像が撮影済みの場合にセルフタイマーキーの操作により付加画像としてのナンバープレートが再生表示されている状態を示す説明図である。
【図５】本発明の実施例に係る画像データのファイル構造の一例を示す説明図である。
【図６】本発明の実施例に係るデジタルスチルカメラの使用方法の一例を示すフローチャートである。
【図７】図１に示す撮影・再生切り替えボタンの操作により再生モードに切り替えた場合において、図１に示す表示ボタンの操作による画面遷移の一例を示す説明図であって、（Ａ）はメイン画像が表示されているモニタ画面を示し、（Ｂ）は付加画像が表示されているモニタ画面を示し、（Ｃ）は画像サイズと共にメイン画像が表示されているモニタ画面を示している。
【発明を実施するための形態】
【実施例】
【０００７】
以下に、本発明に係る撮像装置としてのデジタルスチルカメラ（デジタルカメラ）の実施例を図面を参照しつつ説明する。
（デジタルスチルカメラの外観構成の概略説明）
図１は、本発明に係るデジタルスチルカメラの図であって、その背面構成を示す斜視図である。
【０００８】
その図１において、符号１はデジタルスチルカメラを示す。このデジタルスチルカメラ１は、その背部に表示画面としてのモニタ画面２、撮影・再生切り替えボタン３、表示ボタン（Ｄｉｓｐ）４、セルフタイマーキー５、その他の各種の操作部材を有する。
【０００９】
そのデジタルスチルカメラ１はその上部に、電源ボタン６、モード設定ダイヤル７、シャッターボタン８、その他の各種の操作部材等を有する。
モニタ画面２、撮影・再生切り替えボタン３、表示ボタン４、セルフタイマーキー５、電源ボタン６、シャッターボタン８については、本発明の機能を説明しつつ逐次説明することとし、これらの操作部材以外の操作部材については、この発明に直接的には関係しないので、その説明は割愛する。
【００１０】
デジタルスチルカメラ１は、電源ボタン６がオンされると、後述するコンピュータ（ＣＰＵ）により、モニタ画面２にスルー画像を表示するモニタリング状態となる。
【００１１】
（デジタルスチルカメラ１の回路ブロック図の概要説明）
デジタルスチルカメラ１の内部には、図２に示すように固体撮像素子（ＣＣＤ）１０が設けられている。
被写体からの光は、図示を略すレンズを介して固体撮像素子（ＣＣＤ）１０に結像される。固体撮像素子（ＣＣＤ）１０は、被写体光を光電変換して、映像信号をサンプリング・アナログデジタル変換部（ＣＤＳ・Ａ/Ｄ変換部）１１に出力する。
【００１２】
サンプリング・アナログデジタル変換部（ＣＤＳ・Ａ/Ｄ変換部）１１は、その映像信号を相関２重サンプリングしてノイズ信号を除去しつつ、逐次１０ビットの画像データにＡ/Ｄ変換して画像処理部（ＤＳＰ）１２に出力する。
【００１３】
画像処理部（ＤＳＰ）１２は、サンプリング・アナログデジタル変換部（ＣＤＳ・Ａ/Ｄ変換部）１１から送信された１０ビットの画像データの補間処理、アパーチャ強調、ホワイトバランス処理等の公知の一連の処理を行う。
【００１４】
また、画像処理部（ＤＳＰ）１２はサンプリング・アナログデジタル変換部（ＣＤＳ）１１から送信された１０ビットの画像データを輝度信号Ｙ、色差信号Ｃｂ、Ｃｒに変換してフレームバッファメモリ１３に一時的に保存蓄積する。
【００１５】
デジタルスチルカメラ１のモニタリング中、すなわち、モニタ画面２にスルー画像が表示されている間には、これらの処理が繰り返される。画像処理部（ＤＳＰ）１２はビデオエンコーダ１４を有する。
【００１６】
フレームバッファメモリ１３に一時的に保存蓄積された画像データは、ビデオエンコーダ１４により逐次読み出されて、ビデオ信号に変換され、外部のテレビジョン受像機（外部ＴＶ等）の表示装置１５に向けて出力される。
【００１７】
固体撮像素子（ＣＣＤ）１０はタイミングジェネレータ（ＴＧ）１６から出力される水平駆動パルスと垂直ドライバ（ＶＤｒ）１７から出力される垂直駆動パルスと電子シャッタパルスとにより駆動走査される。
【００１８】
このデジタルスチルカメラ１は、コンピュータ（ＣＰＵ）１８により統括制御される。
そのコンピュータ（ＣＰＵ）１８には、撮影・再生切り替えボタン３、表示ボタン４、セルフタイマーキー５、その他の操作部材、記録媒体１９、表示制御回路２０が接続されている。
【００１９】
コンピュータ（ＣＰＵ）１８は、電子シャッタパルスに基づいて、タイミングジェネレータ（ＴＧ）１６、クロックジェネレータ２１、サンプリング・アナログデジタル変換部（ＣＤＳ・Ａ/Ｄ変換部）１１を制御する。
【００２０】
タイミングジェネレータ（ＴＧ）１６は、垂直ドライバ（ＶＤｒ）１７に向けて垂直駆動パルスを出力すると共に、サンプリング・アナログデジタル変換部（ＣＤＳ・Ａ/Ｄ変換部）１１に向けて所定のクロックを出力する。
【００２１】
クロックジェネレータ２１は、ＣＣＤ駆動用の水晶発振子２２に接続されている。クロックジェネレータ２１は水晶発振子２２の発振周波数のクロックを分周する分周回路（図示を略す）を内蔵している。
そのクロックジェネレータ２１は固体撮像素子（ＣＣＤ）駆動用の駆動パルスをタイミングジェネレータ（ＴＧ）１６に向けて出力する。
【００２２】
タイミングジェネレータ１６は分周回路２３を有する。その分周回路２３は固体撮像素子（ＣＣＤ）駆動用の駆動パルスを１倍又は２倍に選択的に分周する。
【００２３】
その分周回路２３は、画像処理部（ＤＳＰ）１２に向けて分周クロックを出力する。画像処理部（ＤＳＰ）１２は、内蔵カウンタ（図示を略す）を有する。その分周回路２３の役割、効果については、本発明と直接の関係がないので、これ以上の説明は省略する。
【００２４】
画像処理部（ＤＳＰ）１２はカウンタによる駆動パルスの個数が所定のカウント数に達すると、タイミングジェネレータ１６に対して水平リセット信号、垂直リセット信号を出力する。
【００２５】
画像処理部（ＤＳＰ）１２は、図３に示すように、色分離部２５、信号補間部２６、ペデスタル調整部２７、ホワイトバランス調整部２８、デジタルゲイン調整部２９、ガンマ変換部３０、マトリクス部３１、ビデオ信号処理部３２とを備えている。
【００２６】
色分離部２５は、サンプリング・アナログデジタル変換部（ＣＤＳ・Ａ/Ｄ変換部）１１から出力された１０ビットの画像データをＲ・Ｇ・Ｂの各色成分に分離する。信号補間部２６は、各色成分に分離されたＲ・Ｇ・Ｂの各画像データに公知の補間処理を行う。
【００２７】
ペデスタル調整部２７は、Ｒ・Ｇ・Ｂの各色成分の画像データの黒レベルを調整する。ホワイトバランス調整部２８は、Ｒ・Ｇ・Ｂの画像データの白レベルを調整する。デジタルゲイン調整部２９はコンピュータ（ＣＰＵ）１８により設定されたゲインにより、Ｒ・Ｇ・Ｂの各画像データのデジタルカウント値を調整する。
【００２８】
ガンマ変換部３０は、Ｒ・Ｇ・Ｂのγ変換を行う。マトリクス部３１は、Ｒ・Ｇ・Ｂの画像データを色差信号Ｃｂ、Ｃｒと輝度信号Ｙとに分離する。ビデオ信号処理部３２は、色差信号Ｃｂ、Ｃｒと輝度信号Ｙとに基づいてビデオ信号を作成して、ビデオエンコーダ１４、表示制御回路２０に向けて出力する。
【００２９】
この画像処理部（ＤＳＰ）１２は、更にＹ演算部３３と、バイパスフィルタ（ＢＰＦ）３４と、ＡＦ評価値回路３５と、ＡＥ評価値回路３６と、Ｙ演算部３７と、ＡＷＢ評価値回路３８と、コンピュータインタフェース（ＣＰＵＩ/Ｆ）３９とを備えている。
【００３０】
Ｙ演算部３３はペデスタル調整後の画像データの輝度データを検出する機能を有する。バイパスフィルタ（ＢＰＦ）３４は、そのＹ演算部３３により検出された輝度データのうち所定の周波数成分の輝度データのみを通過させる機能を有する。
【００３１】
ＡＦ評価値回路３５は、バイパスフィルタ（ＢＰＦ）３４を通過した輝度データの積分値をＡＦ評価値としてコンピュータ（ＣＰＵ）１８に向かって出力する機能を有する。
Ｙ演算部３７はＹ演算部３３で検出した輝度データに応じたデジタルカウント値をＡＷＢ評価値としてコンピュータ（ＣＰＵ）１８に向かって出力する機能を有する。
【００３２】
固体撮像素子（ＣＣＤ）１０を使用して合焦位置が検出され、コンピュータ（ＣＰＵ）１８は、被写体のコントラストを意味する合焦評価値（ＡＦ評価値）をサンプリングして、いわゆる山登りサーボ方式により、ＡＦ評価値のピーク位置を検出する。これらの自動合焦処理、露光評価処理は公知であるので、これらの詳細な説明は、割愛する。
【００３３】
以下、本発明に係る実施例の詳細を説明する。
デジタルスチルカメラ１の電源をオンして、撮影モードを選択すると、コンピュータ（ＣＰＵ）１８は、図４（Ａ）に示すモニタ画面２にスルー画像をモニタリング表示する撮影モードを実行する処理状態になる。
その図４（Ａ）には被写体として乗用車２Ａがモニタリング表示されている状態が示されている。
【００３４】
このデジタルスチルカメラ１は、撮影モードとして、予め撮影する撮影画像を一方の付加画像データとする付加画像撮影モードと、後から撮影する撮影画像の他方をメイン画像データとするメイン画像撮影モードとを有する。
【００３５】
その付加画像撮影モード（クリップ撮影モードともいう）の設定は、モニタ画面２の初期メニュー設定画面（図示を略す）において行う。
初期メニュー設定画面には、各種項目に並列して、「付加画像ＯＮ/ＯＦF」の項目が表示されている。この項目「付加画像ＯＮ/ＯＦF」において、「ＯＮ」を選択すると、コンピュータ（ＣＰＵ）１８は付加画像撮影（クリップ画像撮影）を有効なモードに設定する。
【００３６】
この実施例では、メイン画像撮影モードと付加画像撮影モードとの切り替えには、セルフタイマーキー５が用いられる。すなわち、セルフタイマーキー５は、付加画像撮影モードとメイン画像撮影モードとを切り替える切り替えキーとして機能する。なお、この場合、メイン画像撮影モードでは、セルフタイマーキー５を用いて一定時間経過後にシャッターをオンして撮影することはできない。
【００３７】
コンピュータ（ＣＰＵ）１８は、付加画像撮影モードでは、図４（Ｂ）に示す付加画像をマクロ撮影するマクロ撮影モードに撮影モードを設定する。すなわち、コンピュータ（ＣＰＵ）１８は、被写体像を拡大して撮影するモードになる。その図４（Ｂ）には付加画像として乗用車のナンバープレート２Ｂがスルー画像としてモニタリング表示されている状態が示されている。
【００３８】
コンピュータ（ＣＰＵ）１８はその付加画像データの有無を判断する判断部を有する。コンピュータ（ＣＰＵ）１８は、メイン画像撮影モードのときに、付加画像がある場合には、この付加画像の存在を意味するアイコン２Ｃを図４（Ｃ）に示すスルー画像としての乗用車２Ａと共にモニタ画面２に表示させる機能を有する。
なお、付加画像データは、後述するように、メイン画像撮影前に所定条件のもとでセルフタイマーキー５の押下操作によりフレームバッファメモリ１３に一時的に蓄積保存される。
【００３９】
コンピュータ（ＣＰＵ）１８は、図４（Ｃ）に示すアイコン２Ｃがモニタ画面２に表示されているときに、セルフタイマーキー５を押下操作すると、図４（Ｄ）に示すように、付加画像としてのナンバープレート２Ｂをモニタ画面２に再生表示させる機能を有する。これにより、ユーザはメイン画像を撮影する前にメイン画像に付加される付加画像の映り具合を確認できる。
【００４０】
表示ボタン４は、撮影モードにおいては、キャンセルボタンとして用いられる。図４（Ｂ）に示すナンバープレート２Ｂがモニタリング画像としてモニタ画面２に映し出されている付加画像撮影モードにおいて、表示ボタン４を操作すると、図４（Ａ）に示す乗用車２Ａがスルー画像（モニタリング画像）として映し出されている状態に戻る。
【００４１】
また、その図４（Ｄ）に示すナンバープレート２Ｂが再生表示されているモニタ画面２において、表示ボタン４を押下操作すると、図４（Ｃ）に示す乗用車２Ａがスルー画像として表示されるメイン画像撮影モードに戻る。
【００４２】
コンピュータ（ＣＰＵ）１８は、図４（Ｄ）に示す付加画像がモニタ画面２に再生表示されているときには、切り替えキーとしてのセルフタイマーキー５の操作により、モニタ画面２に付加画像が再生表示されている状態から付加画像撮影モードに移行させる機能も有する。
【００４３】
すなわち、図４（Ｄ）に示すナンバープレート２Ｂが付加画像として表示されているモニタ画面２において、セルフタイマーキー５を押下操作すると、図４（Ｄ）に示すナンバープレート２Ｂが付加画像として再生表示されている状態から図４（Ｂ）に示す付加画像をモニタリング画像として表示する付加画像撮影モードに移行する。
【００４４】
ここで、付加画像としての被写体をナンバープレート２Ｂから、例えば、乗用車のドアミラーに変更して撮影すれば、乗用車のドアミラーも付加画像として取得でき、従って、この実施例では、メイン画像に付加する付加画像を複数枚取得できる。
【００４５】
コンピュータ（ＣＰＵ）１８は、付加画像がないときには、セルフタイマーキー５の操作によりメイン画像撮影モードから付加画像撮影モードに直接移行させる機能も有する。
コンピュータ（ＣＰＵ）１８は、付加画像の有無を判断して、メイン画像の撮影の際に圧縮データのファイル構造を選択する。図５はその圧縮データのファイル構造の一例を示す。
【００４６】
この圧縮データのファイル構造はメイン画像データと、付加画像データとからなっている。そのメイン画像データは、ＳＯＩ（圧縮データスタート）、ＡＰＰ１（アプリケーション・マーカセグメント１（Ｅｘｉｆ付属情報））、ＤＱＴ（量子化テーブル）、ＳＯＦ（フレームヘッダ）、ＤＨＴ（ハフマンテーブル）、ＳＯＳ（スキャンヘッダ）、圧縮データ、ＥＯＩ（圧縮データ終了）からなる。
【００４７】
その付加画像データも、ＳＯＩ（圧縮データスタート）、ＡＰＰ１（アプリケーション・マーカセグメント１（Ｅｘｉｆ付属情報））、ＤＱＴ（量子化テーブル）、ＳＯＦ（フレームヘッダ）、ＤＨＴ（ハフマンテーブル）、ＳＯＳ（スキャンヘッダ）、圧縮データ、ＥＯＩ（圧縮データ終了）からなる。
【００４８】
メイン画像データのＡＰＰ1（アプリケーション・マーカセグメント１（Ｅｘｉｆ付属情報））の構造は、ＡＰＰ１Ｍａｒｋｅｒ、ＡＰＰ１Ｌｅｎｇｔｈ、Ｅｘｉｆ識別コード、ＴＩＦＦＨｅａｄｅｒ、０ｔｈＩＦＤ、０ｔｈＩＦＤＶａｌｕｅ、１ｓｔＩＦＤ、１ｓｔＩＦＤＶａｌｕｅ、１ｓｔＩＦＤ画像データから構成されている。
【００４９】
付加画像データのＡＰＰ1（アプリケーション・マーカセグメント１（Ｅｘｉｆ付属情報））の構造は、ＡＰＰ１Ｍａｒｋｅｒ、ＡＰＰ１Ｌｅｎｇｔｈ、Ｅｘｉｆ識別コード、ＴＩＦＦＨｅａｄｅｒ、０ｔｈＩＦＤ、０ｔｈＩＦＤＶａｌｕｅから構成されている。なお、これらの圧縮データの個々の項目は公知であるので、その詳細な説明は省略する。
【００５０】
コンピュータ（ＣＰＵ）１８は、付加画像があるときには、メイン画像の撮影完了後にメイン画像の圧縮データに追加して付加画像の圧縮データを作成し、付加画像がないときには、メイン画像の撮影完了と共にメイン画像のみのファイル構造に従ってメイン画像の圧縮データのみを作成する。
【００５１】
その図５には、１個のメイン画像に対して１個の付加画像を追加する圧縮データのファイル構造を示しているが、１個のメイン画像に対して複数個の付加画像を追加する圧縮データのファイル構造とすれば、１つの画像ファイルにおいて１個のメイン画像に対して複数個の付加画像を関連付けることができる。
【００５２】
以下、図６に示すフローチャートを参照しつつ本発明に係る撮影モードの詳細を説明する。
電源ボタン６をオンすると、デジタルスチルカメラ１は、図４（Ａ）に示すスルー画像がモニタリング表示されるメイン画像撮影モードとなる（Ｓ.１）。
【００５３】
ついで、コンピュータ（ＣＰＵ）１８は、セルフタイマーキー５の押下操作の有無を判断する（Ｓ.２）。ここで、セルフタイマーキー５を押下操作すると、デジタルスチルカメラ１は、メイン画像撮影モードから付加画像撮影モードとなり、コンピュータ（ＣＰＵ）１８は、付加画像の有無を判断する処理を行う（Ｓ.３）。セルフタイマーキー５の押下操作がないときには、シャッターボタン８が押下操作されるまで（Ｓ.４）、メイン画像撮影モードが維持される（Ｓ.２、Ｓ.４）。
【００５４】
Ｓ.３において、メイン画像撮影前に予め撮影された付加画像がある場合、コンピュータ（ＣＰＵ）１８は、図４（Ｃ）に示すメイン画像をモニタリング表示するモニタ画面２においてアイコン２Ｃを表示させる。
【００５５】
そのアイコン２Ｃが表示されている状態で、セルフタイマーキー５が押下操作されると（Ｓ.２、Ｓ.３）、図４（Ｄ）に示す付加画像がモニタ画面２に再生表示される（Ｓ.５）。これにより、メイン画像撮影前に、付加画像の内容、撮影品質を再確認できる。
【００５６】
その図４（Ｄ）に示す付加画像が再生表示されているモニタ画面２において、セルフタイマーキー５を押下操作すると（Ｓ.６）、図４（Ｂ）に示す付加画像をモニタリング表示するモニタ画面２に戻る。すなわち、コンピュータ（ＣＰＵ）１８は、付加画像を再生表示している再生表示モードから付加画像を撮影する付加画像撮影モードにモードを切り替えた後（Ｓ.７）、シャッターボタン８の押下操作の有無を判断する（Ｓ.８）。
【００５７】
その図４（Ｄ）に示す付加画像がモニタ画面２に再生表示されている状態において、表示ボタン４を操作すると、図４（Ｃ）に示すメイン画像をモニタリングするモニタ画面２に戻る。すなわち、図４（Ｄ）に示す付加画像の再生表示状態のときに表示ボタン４を押下操作すると、Ｓ.２にジャンプして、セルフタイマーキー５の押下操作の有無を判断する状態に戻る。
【００５８】
Ｓ.３において、付加画像データがない場合、Ｓ.４からＳ.８にジャンプし、Ｓ.８においては、シャッターボタン８の押下処理があるまで、Ｓ.８の状態を繰り返す。
Ｓ.８において、シャッターボタン８の押下操作があると、コンピュータ（ＣＰＵ）１８は露光処理を行って、露光完了後の画像データを付加画像データとして取得し（Ｓ.９）、付加画像データをフレームバッファメモリ１３に一次蓄積保存する（Ｓ.１０）。
【００５９】
ついで、コンピュータ（ＣＰＵ）１８は、Ｓ.１のスルー画像表示処理に戻る。コンピュータ（ＣＰＵ）１８は、ついで、Ｓ.2に移行して、セルフタイマーキー５の押下操作の有無を判断する。
【００６０】
コンピュータ（ＣＰＵ）１０は、Ｓ.２において、セルフタイマーキー５の押下操作がない場合には、メイン画像撮影モードに移行する（Ｓ.４）。付加画像が取得されている場合、図４（Ｃ）に示すように、アイコン２Ｃが表示されているので、付加画像の取得忘れも防止できる。
【００６１】
メイン画像撮影モード（Ｓ.４）において、シャッターボタン８の押下操作の有無を判断し、シャッターボタン８の押下操作がない場合には、Ｓ.２に戻ってセルフタイマーキー５の押下操作の有無を判断する。
【００６２】
Ｓ.４において、シャッターボタン８の押下操作が行われた場合、コンピュータ（ＣＰＵ）１８は露光処理を行って、露光完了後の画像データをメイン画像データとして取得する（Ｓ.１１）。ついで、コンピュータ（ＣＰＵ）１０は、付加画像データの存在の有無を判断する（Ｓ.１２）。
【００６３】
コンピュータ（ＣＰＵ）１８は、付加画像データがない場合には、メイン画像データを圧縮し、Ｅｘｉｆ型式の画像ファイルを作成し、記録媒体１９に記録する（Ｓ.１３）。
コンピュータ（ＣＰＵ）１８は、付加画像データがある場合には、メイン画像データを圧縮して、Ｅｘｉｆ型式の画像ファイルを作成する際に、付加画像データを付加して１個の画像ファイルを作成し、記録媒体１９に記録保存する（Ｓ.１４）。
【００６４】
撮影後に、記録・再生切り替えボタン３を押下操作すると、撮影モードから再生モードに切り替えられる。コンピュータ（ＣＰＵ）１８は、再生モードになると、記録媒体１９から画像ファイルを読み出す。再生モードにおいては、まず、図７（Ａ）に示すように、メイン画像がモニタ画面２に再生表示される。この実施例では、乗用車２Ａがメイン画像として表示される。
【００６５】
このメイン画像がモニタ画面２に再生表示されている状態において、カメラメモがオンのときには、順次再生手段としての表示ボタン４を操作すると、カメラメモとメイン画像とがモニタ画面２に再生表示される状態となる。すなわち、テキスト情報がメイン画像に付加された表示状態となる（図示を略す）。
【００６６】
カメラメモとメイン画像とがモニタ画面２に再生表示されている状態において、再度、表示ボタン４を押下操作すると、モニタ画面２に付加画像を表示可能な状態となる。この状態においては、付加画像データがあるときには、付加画像が図７（Ｂ）に示すように再生表示され、付加画像がない場合には、付加画像はモニタ画面２に再生表示されない。この実施例では、図７（Ｂ）にはナンバープレート２Ｂが付加画像として表示されている。
【００６７】
モニタ画面２に付加画像が表示されている状態において、再度、表示ボタン４を押下操作すると、図７（Ｃ）に示すように、モニタ画面２にメイン画像と共に画像ファイルのサイズ情報２Ｄが同時に表示される状態となる。
【００６８】
ついで、この状態において、表示ボタン４を押下操作すると、ヒストグラムを付加して、メイン画像をモニタ画面２に表示する表示状態となる（図示を略す）。この状態において、更に、表示ボタン４を操作すると、図７（Ａ）に示す最初のモニタ画面２に戻る。
【００６９】
この表示ボタン４の押下操作の繰り返しにより、モニタ画面２にメイン画像、カメラメモ付きのメイン画像、付加画像、画像サイズ情報付きのメイン画像、ヒストグラム情報付きのメイン画像が順繰りにトグル表示される。なお、カメラメモは、モニタ画面２において、初期メニュー設定画面で設定可能とされているが、その内容は公知であるので、その詳細な説明は省略する。
【００７０】
この実施例によれば、全体の画像とその部分を拡大した画像とを提示することにより全体的なイメージと、細部の状態等とが要求される場合、画像作成、画像再生の際に、複数個の付加画像をメイン画像と共に１つのファイルで互いに関連付けて管理することができるので、画像管理が容易となる。
例えば、このデジタルスチルカメラ１は、中古車オークション等において、乗用車の全体のイメージ画像と、細部のイメージ画像とを作成する場合に有用である。
【符号の説明】
【００７１】
１…デジタルスチルカメラ（撮像装置）
２…モニタ画面（表示画面）
４…表示ボタン（順次再生手段）
５…セルフタイマーキー（切り替えキー）
６…電源ボタン
１３…フレームバッファメモリ
１８…コンピュータ（判断部）
１９…記録媒体
【先行技術文献】
【特許文献】
【００７２】
【特許文献１】特許５１４１４４７号公報
【図１】
2019047504.tif 000003
【図２】
2019047504.tif 000004
【図３】
2019047504.tif 000005
【図４】
2019047504.tif 000006
【図５】
2019047504.tif 000007
【図６】
2019047504.tif 000008
【図７】
2019047504.tif 000009